(57)【要約】【課題】洗浄液を均一に拡散させることで、鼻腔内を効率良く洗浄し、使い勝手及び使用感に優れた鼻洗用ノズルを提供する。【解決手段】鼻洗用ノズルを上下に分割して挿入体７と蓋体８とを形成する。上部の挿入体７に洗浄液噴射口１を設ける。下部の蓋体８に、洗浄液噴射口１に通じる通路３と連結管９とを設ける。洗浄液噴射口１の内部に挿入された略いもネジ状の螺旋杆１０の溝１１と洗浄液噴射口１の内側面との間に排出溝２を形成する。【選択図】図２
0003104320.tif 000002
【実用新案登録請求の範囲】
【請求項１】
鼻腔用の洗浄液を入れる容器を備え、この容器に連結されて洗浄液を噴射する鼻洗用ノズルにおいて、ノズルに設けられた洗浄液噴射口の内側面に沿って、螺旋状の排出溝を設けたことを特徴とする鼻洗用ノズル。
【請求項２】
前記排出溝は、洗浄液噴射口の内部に挿入された略いもネジ状の螺旋杆の溝と洗浄液噴射口の内側面との間に形成された請求項１記載の鼻洗用ノズル。
【請求項３】
前記鼻洗用ノズルを上下に分割して挿入体と蓋体とを形成し、上部の挿入体に洗浄液噴射口を設け、下部の蓋体に、洗浄液噴射口に通じる通路と連結管とを設け、洗浄液噴射口の内部に挿入された略いもネジ状の螺旋杆の溝と洗浄液噴射口の内側面との間に排出溝を形成した請求項１又は２記載の鼻洗用ノズル。
【請求項４】
前記排出溝は、前記洗浄液噴射口内部に挿入される筒状の導管内側面に設けられ、該導管を前記ノズルの先端部に埋設して前記洗浄液噴射口を設けると共に、洗浄液噴射口から前記通路内に突出した規制杆と、洗浄液の噴射圧力で押圧されたときに該規制杆に係止し、通路内の中心位置から通路内周側面のいずれか一方の内側面がわに偏るように設けた球状弁とを備えたた請求項１記載の鼻洗用ノズル。
【請求項５】
前記排出溝は、前記洗浄液噴射口内部に直接設けられると共に、洗浄液噴射口から前記通路内に突出した規制杆と、洗浄液の噴射圧力で押圧されたときに該規制杆に係止し、通路内の中心位置から通路内周側面のいずれか一方の内側面がわに偏るように設けた球状弁とを備えたた請求項１記載の鼻洗用ノズル。
【考案の詳細な説明】
【技術分野】
【０００１】
本考案は、本発明は、鼻洗用ノズルの改良に係り、安全で効率的な洗浄が可能な鼻洗用ノズルに関する。
【背景技術】
【０００２】
従来の鼻腔洗浄器として、特許文献１に記載された手動式鼻洗浄器や、特許文献２に記載の目と鼻の洗浄器、あるいは特許文献３に記載の家庭用の手導式鼻洗器などが提案されている。
【０００３】
特許文献１の手動式鼻洗浄器は、手動ポンプの先端にノズルをつけた洗浄器であり、特許文献２の目と鼻の洗浄器は、ノズルの内部に止水パッキングを設けたものである。
【０００４】
特許文献３では、洗浄液がスプレー状とストレート状の２種類の噴霧形態が切り替え自在に選択できるノズルを設けている。このノズルは、スプリングを内蔵し、上下に分割されており、ワンタッチで切り替え可能になっている。初心者はシャワー式で洗浄し、熟練者はストレート式で洗浄するなど切り替えて使用する。
【特許文献１】実開昭５９−１８２３２９号公報
【特許文献２】実開平２−１１６４５４号公報
【特許文献３】特開平９−７５４５８号公報
【考案の開示】
【考案が解決しようとする課題】
【０００５】
特許文献１に記載された手動式鼻洗浄器や、特許文献２に記載の目と鼻の洗浄器は、いずれも鼻孔内に洗浄液を直接当てる構成を成しているため、鼻孔内を洗浄する際に強い刺激が生じる不都合がある。この洗浄液の噴射作用は極めて重要であり、噴射時に刺激が少なく、且つ効率的に洗浄できるものが求められている。
【０００６】
その点、特許文献３の鼻洗器に記載された鼻腔洗浄器では、噴出圧力を調整可能にしていることから、特許文献１、２に比べて使い易くなっている。すなわち、特許文献３の鼻洗器は、上下に分割されたノズルでスプレー状とストレート状の２種類の噴霧形態を切り替えるものである。また、特許文献４の鼻腔洗浄器は、一方に片寄る押しボタンや、押しボタンに形成されたシールまたはガスケットによって構成されている。
【０００７】
ところが、このような従来のノズルの構成では、洗浄液を噴射する際に、均一に噴射することができない不都合があった。すなわち、引用文献３では、ノズルでスプレー状の噴霧形態に切り替えるために、ノズルを上下に分割し、内蔵したスプリングでノズルを上下に離した状態にすることでスプレー状に噴射すると記載されている。しかしながら特許文献３には、洗浄液を均一に噴射する手段は開示されておらず、また、ノズルでスプレー状の噴霧形態に切り替わる具体的な手段についての説明もない。したがって、特許文献３では、スプレー状とストレート状の２種類の噴霧形態を切り替えることが可能であるとしても、スプレー状に噴射する際の洗浄液を均一に噴射することはできない。この結果、ストレート状の噴射に比べて刺激は減少したとしても、大きな水滴や細かな水滴が不連続に噴出して偏った噴射になり易いものであり、鼻腔内を効率良く洗浄することはできない。
【０００８】
そこで本考案は上述の課題を解消すべく案出されたもので、洗浄液を均一に拡散させることで、鼻腔内を効率良く洗浄し、使い勝手及び使用感に優れた鼻洗用ノズルの提供を目的とする。
【課題を解決するための手段】
【０００９】
本考案の第１の手段は、鼻腔用の洗浄液を入れる容器Ｐを備え、この容器Ｐに連結されて洗浄液を噴射する鼻洗用ノズルにおいて、ノズルに設けられた洗浄液噴射口１の内側面に沿って、螺旋状の排出溝２を設けたことにある。
【００１０】
第２の手段において、前記排出溝２は、洗浄液噴射口１の内部に挿入された略いもネジ状の螺旋杆１０の溝１１と洗浄液噴射口１の内側面との間に形成されている。
【００１１】
第３の手段は、前記鼻洗用ノズルを上下に分割して挿入体７と蓋体８とを形成し、上部の挿入体７に洗浄液噴射口１を設け、下部の蓋体８に、洗浄液噴射口１に通じる通路３と連結管９とを設け、洗浄液噴射口１の内部に挿入された略いもネジ状の螺旋杆１０の溝１１と洗浄液噴射口１の内側面との間に排出溝２を形成したことにある。
【００１２】
第４の手段の排出溝２は、前記洗浄液噴射口１内部に挿入される筒状の導管６内側面に設けられ、該導管６を前記ノズルの先端部に埋設して前記洗浄液噴射口１を設けると共に、洗浄液噴射口１から前記通路３内に突出した規制杆４と、洗浄液の噴射圧力で押圧されたときに該規制杆４に係止し、通路３内の中心位置から通路３内周側面のいずれか一方の内側面がわに偏るように設けた球状弁５とを備えている。
【００１３】
第５の手段の前記排出溝２は、前記洗浄液噴射口１内部に直接設けると共に、洗浄液噴射口１から前記通路３内に突出した規制杆４と、洗浄液の噴射圧力で押圧されたときに該規制杆４に係止し、通路３内の中心位置から通路３内周側面のいずれか一方の内側面がわに偏るように設けた球状弁５とを備えたものである。
【考案の効果】
【００１４】
本考案の請求項１及び請求項２により、ノズルに設けられた洗浄液噴射口１の内側面に、螺旋状の排出溝２を設けているので、洗浄液を均一に拡散させ、使用時の刺激を少なくすることができる。
【００１５】
請求項３により、排出溝２は、洗浄液噴射口１の内部に挿入された略いもネジ状の螺旋杆１０の溝１１と洗浄液噴射口１の内側面との間に形成されているので、排出溝２のみが洗浄液の排出口となる。しかも、洗浄液を噴射せしめる際に、粒の揃った大粒の噴射が可能になるものである。
【００１６】
請求項４により、前記洗浄液噴射口１内部に挿入される筒状の導管６内側面に排出溝２を設け、該導管６を前記ノズルの先端部に埋設して前記洗浄液噴射口１を設けると共に、洗浄液噴射口１から前記通路３内に突出した規制杆４と、洗浄液の噴射圧力で押圧されたときに該規制杆４に係止し、通路３内の中心位置から通路３内周側面のいずれか一方の内側面がわに偏るように設けた球状弁５とを備えているので、製造工程を簡略化し、洗浄液噴射口１の径や排出溝２の変更などに容易に対応することが可能である。
【００１７】
請求項５によると、前記排出溝２を洗浄液噴射口１内部に直接設けることで、極めてシンプルな構成のノズルを提供することが可能になる。
【００１８】
このように本考案によると、洗浄液を均一に拡散させることで、鼻腔内を効率良く洗浄し、使い勝手及び使用感に優れるなどいった種々の効果を奏するものである。
【考案を実施するための最良の形態】
【００１９】
本考案の最良の形態は、鼻洗用ノズルを上下に分割して挿入体７と蓋体８とを形成し、上部の挿入体７に洗浄液噴射口１を設け、下部の蓋体８に、洗浄液噴射口１に通じる通路３と連結管９とを設け、洗浄液噴射口１の内部に挿入された略いもネジ状の螺旋杆１０の溝１１と洗浄液噴射口１の内側面との間に排出溝２を形成するものである。
【実施例】
【００２０】
本発明鼻洗用ノズルは、鼻腔用の洗浄液を入れる容器Ｐに連結して使用するもので、洗浄液をスプレー状に噴射する鼻洗用ノズルである。この容器Ｐは、例えば、軟質プラスチック等の材質で形成するもので、容器Ｐ側面を手指にて強く圧縮すると、容器Ｐ自身の弾性力でもとの形に復元する性質を有している。そして、容器Ｐの上部に、可撓性のパイプＰ１と空気弁Ｐ２とが装着され、本発明ノズルは、このパイプＰ１先端に連結して使用するものである（図１参照）。
【００２１】
本発明ノズルの基本構成は、洗浄液噴射口１と排出溝２とからなる。図示例では、本発明ノズルを上下に分割して挿入体７と蓋体８とを形成している（図２参照）。そして、上部の挿入体７に洗浄液噴射口１と排出溝２とを設けている。下部の蓋体８には、通路３と連結管９とを設け、この通路３に球状弁５を収納している。連結管９は、前記パイプＰ１に連結する部材であり、この連結管９の開口上部を球状弁５が開閉自在に封止するものである。
【００２２】
洗浄液噴射口１は、ノズルの先端部から内部に貫通し、容器Ｐからの洗浄液を噴射する部分で、この洗浄液噴射口１の内側面に沿って排出溝２を設けるものである。
【００２３】
排出溝２は、螺旋状に設けられており、排出される洗浄液がこの排出溝２に沿って排出されると、シャワー状に拡散するものである。図２に示す排出溝２は、洗浄液噴射口１の内部に挿入された略いもネジ状の螺旋杆１０の溝１１と、洗浄液噴射口１の内側面との間に形成されている。このような排出溝２を設けると、排出する全ての洗浄液が排出溝２に沿って通過するものとなる。すなわち、洗浄液は螺旋杆１０に規制されて洗浄液噴射口１の中心位置には流れず、全ての洗浄液が排出溝２に沿って排出される。この結果、シャワー状に飛散する洗浄液の粒が大きくなり、しかも均一な状態で噴射せしめることができる。
【００２４】
また、図３、図５に示す排出溝２は、洗浄液噴射口１内部に直接設けられているが、図６に示す如く、排出溝２を筒状の導管６内側面に設け、該導管６を前記ノズルの先端部に埋設して洗浄液噴射口１を設けることも可能である。
【００２５】
図３乃至図６に示す符号４は規制杆を示す。この規制杆４は、入口１Ａ下端部から一対平行に設け、球状弁５を係止するものである。この球状弁５は、洗浄液の噴射圧力で押圧されたときに該規制杆４に係止すると共に、通路内の中心位置から通路内周側面のいずれか一方の内側面がわに偏るように設けられている。すなわち、洗浄液噴射口１の鉛直下方の中心部は、この球状弁５によって常に遮られるものとなる。この結果、容器Ｐからの洗浄液が該入口１Ａに対して偏芯した流れになるものである。
【００２６】
球状弁５は、前記通路３内から容器Ｐへの洗浄液の逆流を防止する逆止弁としての機能も有している。すなわち、容器Ｐの上部には空気弁Ｐ２を設けてあり、容器Ｐの洗浄液を排出した後は、この空気弁Ｐ２から容器Ｐ内に空気が流入する。このとき、球状弁５が逆止弁としてパイプＰ１を閉塞し、ノズル内部に残留した洗浄液が容器Ｐ内に戻るのを防止するものである（図２参照）。
【００２７】
尚、本発明は前記実施例に限定されることなく、本発明の要旨を逸脱しない範囲内における材質の置換や設計変更等は自由に行えるものである。
【図面の簡単な説明】
【００２８】
【図１】本発明の装着状態を示す一部断面図である。
【図２】本発明の一実施例を示す縦断面図である。
【図３】本発明規制体の他の実施例を示す断面図である。
【図４】図３に示す規制杆を示す底面図である。
【図５】本発明の他の実施例を示す断面図である。
【図６】本発明の他の実施例を示す断面図である。
【符号の説明】
【００２９】
Ｐ  容器            Ｐ１  パイプ
Ｐ２  空気弁
１  洗浄液噴射口    １Ａ  入口
１Ｂ  出口
２  排出溝
３  通路
４  規制杆
５  球状弁
６  導管
７  挿入体
８  蓋体
９  連結管
１０  螺旋杆
１１  溝
【図１】
0003104320.tif 000003
【図２】
0003104320.tif 000004
【図３】
0003104320.tif 000005
【図４】
0003104320.tif 000006
【図５】
0003104320.tif 000007
【図６】
0003104320.tif 000008